(57)【要約】【課題】  バウンスを生じるためのフレームなどの変形を妨げることなく、ロッキング機能を発揮できるようにした乳幼児用シートと、ロッキングユニットを提供すること。【解決手段】  設置面から斜めに傾斜した背もたれフレーム３１の平行部分に配置されるシート体４０と、前記背もたれフレームの前記平行部に対して、結合される脚部フレーム２７と、前記背もたれフレームを弾性的に支持することにより設けたバウンス部４１と、取付け部材５２を介して取付けられ、前記設置面と当接する当接面が湾曲しているロッキング手段５０とを備えており、前記取付け部材５２が前記前後方向に沿って脚部フレーム２７とロッキング手段５０の相対位置を変化させるように、摺動可能に構成されている。【選択図】        図５
2005080894.tif 000002
【特許請求の範囲】
【請求項１】
設置面から所定角度で斜めに傾斜して配置され、平行な部分を有する背もたれフレームと、
前記背もたれフレームの平行部分に配置されるシート体と、
前記背もたれフレームの前記平行部に対して、一体または別体にそれぞれ結合されるとともに、前記設置面に沿って、後方にそれぞれ延長された水平ロッドを備える脚部フレームと、
前記水平ロッドから前記背もたれフレームの前記傾斜に適合させるように立ち上がる箇所、もしくはその近傍で、前記背もたれフレームを弾性的に支持することにより設けたバウンス部と、
前記脚部フレームに対して、取付け部を介して取付けられ、前記設置面と当接する当接面が少なくとも前後方向に関して湾曲しているロッキング手段と
を備えており、
前記取付け部が、前記前後方向に沿って、前記脚部フレームと前記ロッキング手段との相対位置を変化させるように、摺動可能に構成されている
ことを特徴とする乳幼児用シート。
【請求項２】
前記ロッキング手段が、前記脚部フレームに対して、着脱機能を有した前記取付け部を備えていることを特徴とする請求項１に記載の乳幼児用シート。
【請求項３】
前記取付け部が、前記脚部フレームに取付けられる摺動体と、前記ロッキング手段側に固定され、前記摺動体を受容して保持する受容部を備えたベース体とを有しており、前記受容部には、前記摺動体を受容した状態で、摺動体との間に所定のクリアランスが形成されていることを特徴とする請求項２に記載の乳幼児用シート。
【請求項４】
前記脚部フレームが、前後方向に延びる一対の非平行の前記水平ロッドを有しており、この一対の水平ロッドの間隔が、前方で大きく、後方で小さくなるようにされており、かつ前記ロッキング手段が、前後方向に延びる前記湾曲面をそれぞれ備えた一対のベース板を有していて、これらベース板が前記一対の水平ロッドにそれぞれ固定もしくは取付けられることにより、これら一対のベース板どうしの間隔が前方で大きく、後方で小さくなるようにされていることを特徴とする請求項１ないし３のいずれかに記載の乳幼児用シート。
【請求項５】
前記ロッキング手段の前記一対のベース板には、少なくともそれぞれの前部および／または後部に、前記取付け部の前記ベース体が固定されるようになっており、これら一対のベース板のそれぞれの前部および／または後部に固定された前記ベース体どうしを着脱可能な連結バーにより連結する構成としたことを特徴とする請求項４に記載の乳幼児用シート。
【請求項６】
棒状もしくはフレーム状の対象に対して、取付け部を介して取付けられるベース板を備えており、
このベース板は、設置面と当接する当接面が少なくとも前後方向に関して湾曲した形態とされており、
かつ前記取付け部が前記棒状もしくはフレーム状の対象が延びる方向に沿って、前記棒状もしくはフレームの対象とベース板との相対位置を変化させるように、摺動可能に構成されている
ことを特徴とする、ロッキングユニット。
【発明の詳細な説明】
【技術分野】
【０００１】
この発明は、生後０ないし９か月程度で、特に、自ら立ち上がることができない乳幼児を、シート体の上に斜めに寝かせた状態で安全に保持できる乳幼児用シートと、この乳幼児用シート等に着脱されるロッキングユニットに関するものである。
【背景技術】
【０００２】
従来のシートタイプで、揺りかご状に揺動することが可能な乳幼児用シートとしては、特開２００３−１１６６８０に代表されるように、設置面である床面などに、湾曲面を当接させて揺れるようにしたロッキング機構を備える乳幼児用の揺りかごとして使用される乳幼児用シートが知られている。
また、本出願人が先に提案したものとして、特開２００３−１０２５９７は、パイプフレームで形成した骨組みにシート本体を配置して、骨組みが変形するようにして、所謂バウンスさせるような乳幼児用シートも知られている。
【０００３】
【特許文献１】特開２００３−１１６６８０
【特許文献２】特開２００３−１０２５９７
【発明の開示】
【発明が解決しようとする課題】
【０００４】
ところが、従来の乳幼児用シートでは、上記したバウンスによる揺れの機能かロッキングによる揺れの機能のいずれかの機能を備えたものか、少なくともいずれかの機能を優先させたものがほとんどである。
すなわち、乳幼児にあっては、低月齢期（月齢０ないし３，４か月程度）のころは、未だ激しい動きを行うことがほとんどないので、動力部を有さない構造のものでは、親などがシートを揺すってやる必要があり、ロッキング機構を備えたシートが必要とされる。
これに対して、高月齢期（ここでは、３，４か月程度以降）では、次第に身体が発達し、身体を自分で揺すったり、玩具を手に持って振ったりして、それまでより比較的激しく動くことができるようになると、バウンス機能により、自分の身体の動きに反応してシートが揺動することが好ましい。
【０００５】
しかしながら、一般に、バウンス機構で揺れを生じる機構と、ロッキング機構で揺れを生じる機構は異なるもので、一方の動きは他方を動きを妨げてしまう場合がある。
例えば、布などのシート体をフレーム構造で支持した構造の乳幼児用シート（特許文献２参照）では、少なくともフレームの一部の変形によりバウンスを生じるようにしており、このような構造を採用しつつロッキング機構を具備させようとすると、取付け部を介してロッキング機構を取付けた場合には、変形しないため、所定の剛性を有するロッキング部材によって、バウンス機構の変形が阻害されてしまう等の障害を生じることになる。
【０００６】
本発明は、このような問題を解決するためになされたもので、バウンスを生じるためのフレームなどの変形を妨げることなく、ロッキング機能を発揮できるようにした乳幼児用シートと、ロッキングユニットを提供することを目的としている。
【課題を解決するための手段】
【０００７】
上記目的は、請求項１の発明によれば、設置面から所定角度で斜めに傾斜して配置され、平行な部分を有する背もたれフレームと、前記背もたれフレームの平行部分に配置されるシート体と、前記背もたれフレームの前記平行部に対して、一体または別体にそれぞれ結合されるとともに、前記設置面に沿って、後方にそれぞれ延長された水平ロッドを備える脚部フレームと、前記水平ロッドから前記背もたれフレームの前記傾斜に適合させるように立ち上がる箇所、もしくはその近傍で、前記背もたれフレームを弾性的に支持することにより設けたバウンス部と、前記脚部フレームに対して、取付け部を介して取付けられ、前記設置面と当接する当接面が少なくとも前後方向に関して湾曲しているロッキング手段とを備えており、前記取付け部が、前記前後方向に沿って、前記脚部フレームと前記ロッキング手段との相対位置を変化させるように、摺動可能に構成されている乳幼児用シートにより、達成される。
【０００８】
請求項１の構成によれば、乳幼児用シートの設置面に対して、前記水平ロッドが平行に位置しており、そこから斜めの方向に位置する背もたれフレームに続く箇所近傍において、バウンス部により、この背もたれフレームが弾性的に支持されていることで、背もたれフレームに配置されるシート本体に寝た状態の乳幼児は、その姿勢で弾性的に保持されることになる。ここで、乳幼児が身体を動かすとバウンス部の機能およびフレーム各部が変形するので、上下方向への複雑な揺動を主要素とするバウンス機能を発揮できる。そして、この場合、フレームの一部である脚部フレームに取付け部を介してロッキング手段が取付けられている。この取付け部は脚部フレームとロッキング手段との相対位置を変化させるように、前後方向に摺動することができるようにされている。このため、前記バウンスの際のフレームの変形は、取付け部の前後方向の摺動により、変形できないロッキング手段の剛性による影響を受けて変形を妨げられることが防がれるので、バウンス機能を損なうことなく、ロッキング手段の構造を維持できる。
【０００９】
請求項２の発明は、請求項１の構成において、前記ロッキング手段が、着脱機能を有した前記取付け部を備えていることを特徴とする。
請求項２の構成によれば、使用者である乳幼児の成長に応じて、あるいは使用条件に応じて、ロッキング手段を取り外すことができる。このため、乳幼児が成長して、バウンス機構だけでも揺れを発現させることができる大きな動きができるようになった場合には、ロッキング手段を外して使用することができるだけでなく、持ち運びや流通に便利であり、保管の場所をとらない等の利点がある。
【００１０】
請求項３の発明は、請求項２の構成において、前記取付け部が、前記脚部フレームに取付けられる摺動体と、前記ロッキング手段側に固定され、前記摺動体を受容して保持する受容部を備えたベース体とを有しており、前記受容部には、前記摺動体を受容した状態で、摺動体との間に所定のクリアランスが形成されていることを特徴とする。
請求項３の構成によれば、取付け部を脚部フレームに取付ける摺動体と、ロッキング手段側に取付けるベース体とに分けて、ベース体の受容部に摺動体を収容することで、着脱できるようにしている。しかも前記受容部には、前記摺動体を受容した状態で、摺動体との間に所定のクリアランスを設けるようにすることで、ロッキング手段を取付けた状態における前記取付け部の、脚部フレームに対する摺動機能を適切に確保することができる。
しかも、摺動体はフレームに対して、固定的に取付けられていないことにより、例えば、フレームの特定の箇所に孔等を形成して、そこに固定的に取付けた場合等と比較して、決まった箇所に常に負荷を与える構造を回避することができ、疲労による損傷などを適切に防止することができる。
【００１１】
請求項４の発明は、請求項１ないし３のいずれかの構成において、前記脚部フレームが、前後方向に延びる一対の非平行の前記水平ロッドを有しており、この一対の水平ロッドの間隔が、前方で大きく、後方で小さくなるようにされており、かつ前記ロッキング手段が、前後方向に延びる前記湾曲面をそれぞれ備えた一対のベース板を有していて、これらベース板が前記一対の水平ロッドにそれぞれ固定もしくは取付けられることにより、これら一対のベース板どうしの間隔が前方で大きく、後方で小さくなるようにされていることを特徴とする。
請求項４の構成によれば、脚部フレームはその前方に向かって広げられた形態とされて、前後方向に湾曲面を備えたベース板を有するロッキング手段が水平ロッドに取付けられることで、脚部フレームの前方が安定的に構成されることとなる。そのため、大きな動きができるようになった乳幼児が、ロッキング手段によって前後方向に対して揺らした場合でも、前方や斜め前方に乳幼児シートが倒れることがなく、安全に使用することができる。
しかも、乳幼児シートの前後方向に対して、ベース板が前方側がより広がるよう斜めに配置されることになり、乳幼児シートが前方に揺れた場合には、各ベース板の設置面への当接面の内側に比較的重さがかかり、乳幼児シートが後方に揺れた場合には、各ベース板の設置面への当接面の外側に比較的重さがかかることとなる。そのため、ロッキングした際に、ベース板の接地面の重量が加わる位置が揺れに従って変動することとなり、心地良い揺れを発生させることができる。
【００１２】
請求項５の発明は、請求項４の構成において、前記ロッキング手段の前記一対のベース板には、少なくともそれぞれの前部および／または後部に、前記取付け部の前記ベース体が固定されるようになっており、これら一対のベース板のそれぞれの前部および／またはに固定された前記ベース体どうしを着脱可能な連結バーにより連結する構成としたことを特徴とする。
請求項５の構成によれば、各ベース体を連結バーで連結することで、ねじれ方向に対する剛性を高め、乳幼児用シートを構成するフレーム構造のねじれ変形を防止することができる。
【００１３】
また、上述の目的は、請求項６の発明にあっては、棒状もしくはフレーム状の対象に対して、取付け部を介して取付けられるベース板を備えており、このベース板は、設置面と当接する当接面が少なくとも前後方向に関して湾曲した形態とされており、かつ前記取付け部が前記棒状もしくはフレーム状の対象が延びる方向に沿って、前記棒状もしくはフレームの対象とベース板との相対位置を変化させるように、摺動可能に構成されているロッキングユニットにより、達成される。
請求項６の構成によれば、前後方向に延びるフレーム状の構成を有するシートならば、取付け部によって、このロッキングユニットを取付けることができる。この取付け部によって、前記棒状もしくはフレームの対象とベース板との相対位置を変化させるように前記前後方向に摺動することができるようにされているので、フレーム構造を備えるシートに取付けた場合において、所謂バウンスの際のフレームの変形は、取付け部の前後方向の摺動により、変形しないロッキングユニットの剛性による影響を受けて変形を妨げられることが防止されるので、バウンス機能を適切に発揮できる。すなわち、バウンス機能を備えたシート（乳幼児用に限らず）に対して、その機能を阻害することなく、ロッキング機能を付加することができるロッキングユニットを提供できる。
【発明を実施するための最良の形態】
【００１４】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１は、本発明の実施形態に係る乳幼児用シート（以下、「シート」と言う）２０の全体を示す概略斜視図であり、図２はそのフレーム構造を示す概略斜視図である。
図１において、シート２０は、フレーム体２１に装着されることにより所定の形状に支持された、例えば布製のシート体４０を備えており、シート体４０の上面には、乳幼児の下半身（図示せず）の、特に、股から腰にかけての箇所を保持するのに適合した保持部８０が設けられている。
【００１６】
保持部８０は、股部８１を備えて、股部８１の両側には、乳幼児の両足を挿通するための貫通孔８２，８２が形成されており、股部８１の上端は、左右方向に延長されて、後述する手段によりシート体４０の両側面付近にそれぞれ接続されていて、これにより、保持部８０は、全体として、パンツの一部のような形態にされていることにより、乳幼児の下半身を保持して、シート２０から落ちることを防ぐようになっている。
シート２０には、シート体４０の上部を覆うようにして、フレームで支持された蓋い、ないしは幌６０や、着脱式のフレームに支持された玩具７０が取付け可能となっている。
【００１７】
図２は、図１のシート２０のシート体４０や幌６０を外したフレーム体２１の概略分解斜視図であり、シート２０が自立するように組み立てる状態を示している。
図において、フレーム体２１は、並列的に、それぞれ斜めに配置され、フレームの接続手段となる一対のコネクタ２２，２２と、設置面から所定角度で斜めに上方に傾斜して延びて、コネクタ２２，２２に支持されている傾斜ロッド２５，２５及び、各傾斜ロッド２５，２５の先端から後方に延長される水平ロッド２６，２６を備える一対の脚部フレーム２７，２７を備えている。
【００１８】
さらに、各コネクタ２２，２２から、前方に向かって斜め下方に突出する基端部２８ａ，２８ａを有しており、これら基端部２８ａ，２８ａと、基端部２８ａ，２８ａに対して、軸回りに回動可能に取付けられるループ状に閉じられた先端部２８ｃとにより、足受けフレーム３０が構成されている。
そして、足受けフレーム３０の各基端部２８ａ，２８ａは、各コネクタ２２，２２を貫通して上方にそれぞれ延びて、各コネクタ２２，２２から露出した部分２８ｂ，２８ｂを備えることにより、中間ロッド２８，２８を構成している。
【００１９】
各中間ロッド２８，２８の各コネクタ２２，２２から上方に露出した上端部分２８ｂ，２８ｂには、２つの下端３２，３２が略平行に配置され、上端がループ状とされた背もたれフレーム３１の各下端３２，３２に中間ロッド２８，２８の上端部分２８ｂ，２８ｂが挿入されることで、取付けられるようになっている。
また、背もたれフレーム３１に対しては、図示しない略Ｕ字状の細い幌用フレームが固定されるようになっている。
【００２０】
各脚部フレーム２７，２７の傾斜ロッド２５，２５は、図示されているように、前方へ向かって接地面に近づく方向である下向きの傾斜を備えており、かつ好ましくは、各コネクタ２２，２２から下方へ延出された箇所は、矢印Ｃ，Ｃに示すように、さらに外側に拡がるような広がりを備えている。この傾斜ロッド２５，２５の傾斜は、背もたれフレーム３１の平行な部分、すなわち、背もたれフレーム３１のループ上部分３３を除く一対の平行なフレーム部分３２ａ，３２ａの傾斜と一致している。
これに対して、足受けフレーム３０の各基端部２８ａ，２８ａは、先端（下端）付近が、上向きに傾斜して水平に近い状態とされている。つまり、図において、中間ロッド２８及び背もたれフレーム３１の有する傾斜や脚部フレーム２７，２７の有する前方への傾斜と比べて、接地面から離れる方向である上を向く傾斜を有しており、これにより、足受けフレーム３０の先端部２８ｃは、上方にややせりあがって、乳幼児の足が水平に近い状態に位置することになり、身体を保持しやすいようになっている。
【００２１】
各脚部フレーム２７，２７の有する水平ロッド２６，２６は、その端部が後方に位置するように延びており、これらの各先端には、連結用のコーナー部材３４，３５が固定されている。各コーナー部材３４，３５の間には、連結ロッド３６が一端部を着脱可能にして、その両端部分を固定されるようになっている。そして、水平ロッド２６，２６どうしの間隔は、前端側で大きく、後端側で小さくなるようにされている。
脚部フレーム２７の一部である水平ロッド２６，２６は、後述するロッキング手段であるロッキングユニットが取付けられるものであり、ロッキングユニットを取付けないで使用される場合には、シート２０が設置もしくは置かれる床等の設置面と当接し、床等と平行に延びる部分である。
【００２２】
ここで、例えば、脚部フレーム２７や各基端部２８は、一定の強度と、変形に必要な弾性および剛性を得るために、例えば、直径８ｍｍ程度の中実なステンレスや軟鉄による丸棒状の部材で形成されている。また、背もたれフレーム３１や足受けフレーム３０は、軽量化や各基端部２８との接合性を考慮して、例えば、中空なステンレスや軟鉄によるパイプで形成されている。
また、脚部フレームの傾斜ロッド２５，２５や背もたれフレーム３１により形成されるシート２０の傾斜角度は、１０度から４５度程度であることが好ましく、本実施形態では、４０度とされており、乳幼児が寝かされた時の疲労が少ない。
さらに、脚部フレーム２７の水平ロッド２６，２６と傾斜フレーム２５，２５は、上述したように、中実なステンレスや軟鉄による丸棒状の部材で形成され、ある程度の弾性を備えている。この実施形態では、特に、水平ロッド２６，２６と傾斜フレーム２５，２５との間に、図示するようなＲ状の曲折個所を設けて、バウンス部４１，４１としている。バウンス部４１，４１は、設置面に平行な水平ロッド２６，２６から所定の傾斜角で延びる傾斜ロッド２５，２５およびコネクタ２２，２２を介して、背もたれフレーム３１の平行部３２ａ，３２ａを弾性的に支持している。
【００２３】
このような傾斜角度と脚部フレーム２７の弾性および剛性により、乳幼児が身体を動かした際に、傾斜角度が変化することで、上下方向に揺動することにより、所謂バウンス（バウンシング）機能を発揮し、あたかも大人に抱き上げられた時の動きや感覚を使用者である乳幼児に与えることができる。また、このようなバウンシングは、バウンス部４１，４１の働きだけではなく、バウンス部４１，４１の変形もしくは撓みに対応して、それに接続された各フレームの変形により可能となる。言い換えれば、このようなバウンス部４１，４１を設けるだけでは、理想的なバウンシングによる揺動は生成できない。このバウンス部４１，４１と一体もしくは別体に接続される各フレームが変形できる必要がある。この点については、後でさらに詳しく説明する。
【００２４】
コネクタ２２は、図２で示すように、並列的に配置されて、左右に一対設けられ、同じ構造である。コネクタ２２は、フレームの接続支持手段であり、例えば、合成樹脂等で成形された筒状の成形体である。
コネクタ２２は、その中を中間ロッド２８が貫通するとともに、傾斜ロッド２５の上端部が収容されており、これらの位置が、長さ方向に中心軸の周りで回動変位することで、シート２０に折り畳み機能を付与するものである。シート２０は、必ずしも折り畳み機能を備えなくてもよい。このため、この折り畳み機能は、本発明に関して本質的事項ではないので、詳しい説明を省略する。
【００２５】
次に、ロッキング手段について説明する。ロッキング手段は、この実施形態では、例えば、図示するようなロッキングユニット５０により実現される。
このロッキングユニット５０は、シート２０の脚部フレーム２７の水平ロッド２６，２６に対して、取付け部である取付け部材５２により取付け、取り外しがされるようになっている。すなわち、ロッキングユニット５０を水平ロッドなどの脚部フレーム側に取付ける手段としは、この実施形態のように、独立した部品として、後述する取付け部材５２として構成されていても、あるいは、ロッキングユニット側もしくは脚部フレーム側のいずれかに対して一体になった取付け部として構成されていてもよい。
【００２６】
図３は、ロッキングユニット５０を上方から見た概略平面図、図４は、ロッキングユニット５０の概略側面図である。
ロッキングユニット５０は、ロッキング板である一対のベース板５１，５１を有しており、各ベース板５１，５１は、それぞれ取付け部材５２，５２を介して図２で説明した左右の水平ロッド２６，２６とそれぞれ着脱されるようになっている。ベース板５１，５１は互いに同じ形状であり、紙面の左右の方向に長い長尺の板体で、木材や合成樹脂、金属等により形成されている。
図３に示されているように、一対のベース板５１，５１は、その前端側の互いの間隔Ｗ１が、後端側の互いの間隔Ｗ２よりも大きくされて前方への安定性が高められており、ベース板５１，５１どうしは、前端付近で、後述する連結バー４２により、結合されることにより、ねじれ方向の変形を防止するようになっている。なお、連結バー４２は後端付近で連結されていてもよいが、前端側の間隔Ｗ１が大きくされているため、前端付近で連結されていることが好ましい。
【００２７】
図４に示すように、ベース板５１は、接地面への当接面となるその下面が前後方向（紙面の左右の方向）に湾曲した湾曲面５３とされている。湾曲面５３の曲率は、ロッキングによる揺動の上下の振幅に適合させて、適宜定めることができる。ベース板５１の前後の端部付近には、取付け部材５２，５２が設けられている。前部の取付け部材５２−１と後部の取付け部材５２−２は基本的には同一の構造である。
図５は、図２で説明した水平ロッド２６に取付け部材５２−１，５２−２を介して、ロッキングユニット５０を取付けた状態を示す概略側面図である。図示されているように、ベース板５１の前部と後部には、それぞれベース体５５，５５が固定されている。これに対して、水平ロッド２６には、上記各ベース体５５，５５と対応する摺動体４３，４３が取付けられている。このベース体５５に摺動体４３が着脱されることで、この実施形態の取付け部材５２が構成されている。
【００２８】
図６および図７は、ベース体５５の詳しい構成を示しており、図６（ａ）はその概略平面図、図６(ｂ)はその概略側面図、図６(ｃ)はその概略底面図、図７(ａ)はその概略断面図、図７（ｂ）はその前方から見た概略正面図である。
図において、ベース体５５−１は、図４のベース板５１の前端側（紙面の右端側）に固定されるもので、後端側（紙面の左端側）に固定されるベース体５５−２と略同一の構造である。
ベース体５５は、例えば、合成樹脂による成形体で構成され、図４のベース板５１の傾斜に適合させた傾斜を有する底板６４と、この底板６４の上に起立する基部６３を備えている。底板６４には、ベース板５１に固定するためのビス孔などの固定用の手段が設けられており、後端側には、図３で説明した連結バー４２の固定手段としての掛止フック６６を軸止めするための軸受け６５を有している（図７（ａ）参照）。これに関連して、底板６４には、掛止フック６６の回動を妨げないように、スリット６４ａが設けられている。このスリット６４ａは、基部６３の一部にも連設されて、掛止フック６６の倒伏により基部６３の一部に掛止フック６６が入り込むことができるようになっている。なお、後端側に固定されるベース体５５−２には、本実施形態においては連結バー４２が取付けられないため掛止フック６６は設けられないが、後端側にも連結バー４２を配置する場合には設けてもよい。
【００２９】
図６において、基部６３の上部には、円筒内面に相当する受容部５６が設けられており、受容部５６は図において左右に貫通するとともに、上端にはスリット５６ａが形成されている。この受容部５６は、後述する摺動体を受容するものであり、摺動体の挿脱を行うために摺動体の外径よりも大きな幅とされたスリット５６ａが形成されている。この受容部５６の内径はＪＬで示されており、摺動体の当接部における外径よりも僅かに大きな内径を有し、摺動体の着脱を行いやすくされている。また、受容部５６の下端付近で、基部６３の両側面の外面には、図６に示すように、係合手段としての一対の凸条５７，５７が形成されており、この凸条５７は、図６（ｂ）に示されているように前後方向の端部が、突出した凸部５７ａ，５７ａとされている。
さらに、基部６３には、図６（ｂ）に示されているように、連結バー４２の端部が入り込む挿入開口もしくは挿入孔６１が形成されている。さらに、この挿入孔６１よりも前方（図において右方）には、後述する揺れ止め部材を設けるための軸孔６２が形成されている。
【００３０】
図８は、脚部フレームの水平ロッドに取付けられる摺動体４３を示しており、図８（ａ）はその概略平面図、図８（ｂ）はその概略側面図、図８（ｃ）はその概略正面図である。
これらの図において、摺動体４３は、例えば、合成樹脂による成形体で構成されており、本体４５は、所定の長さを有する筒体である。本体４５の下端にはスリット４４ａが形成されおり、本体４５の内側は、スリット４４ａと連通する筒体内面が水平ロッド２６の受容部４４とされている。この受容部４４の内径ＩＬは、後述する図１１で示す水平ロッド２６の外径ＯＬよりも僅かに大きく形成され、所定のクリアランスを有するようにされている。このクリアランスは、例えば、０．３ｍｍないし０．７ｍｍ程度である。
また、図８（ｂ）、図８（ｃ）に示されているように、本体４５のスリット４４ａと反対の位置には、係合手段としての一対の掛止片４７，４７が起立しており、各掛止片４７，４７には掛止孔として、例えば、長さ方向に貫通する貫通孔４６，４６が形成されている。
【００３１】
図９は、ベース板５１にベース体５５を固定した前方の状態を示している。取付け部材５２の一部を構成するベース体５５の基部６３には、揺れ止め部材７１が回動自在に軸孔６２を介して軸部７２にて固定されている。揺れ止め部材７１は、固定状態において、ベース板５１の端部を超える長さを有する枠状の部材である。
図１０は、ベース体５５の挿入孔６１に連結バー４２の端部を挿入した状態を示している。ここで、連結バー４２は、図１４に示すように構成されている。図示されているように、連結バー４２は、長尺の棒状の部材であり、前端側の間隔Ｗ１が広くなるよう斜めに配置されたベース板５１に対応して両端付近がやや曲折され、各先端部には、固定用の凹部が形成されている。この実施形態では、固定用の凹部は、図示されているように、外周を取り巻く固定溝４２ａ，４２ａとして構成されている。
したがって、図１０に示すように、連結バー４２の各端部を対応するベース体５５の挿入孔６１に入れて、掛止フック６６を図９の矢印の方向に回動させて、図１０に示すように倒伏させると、掛止フック６６の掛止段部６６ａが図１４で説明した連結バー４２の固定溝４２ａに入り込んで、図２、図３で説明したように、連結バー４２を挿入孔６１から抜けないよう確実に固定することができる。
【００３２】
これにより、ロッキングユニット５０が図３の状態に組み立てられたこととなり、図１１および図１２に示すように、取付け部材５２を用いて脚部フレームの水平ロッド２６にロッキングユニット５０を取付ける。
すなわち、この場合、図５に示されているように、水平ロッド２６の長さ方向の各端部において、それぞれ取付け部材５５−１，５５−２により取付けるが、同じ作業であるから、一方の取付けだけを説明する。
図１１に示すように、水平ロッド２６には、予め図８で説明した摺動体４３を取付ける。この場合、図８（ｃ）の摺動体４３のスリット４４ａをやや広げるように変形させて、水平ロッド２６を受容部４４に挿入する。ここで、重要なのは、既に説明したように、受容部４４の内径ＩＬは、水平ロッド２６の外径ＯＬよりも僅かに大きく形成され、所定のクリアランスを有するようにされていることである。これにより、図１１において、摺動体４３は矢印Ａで示される、シート２０における前後の方向に摺動できるようになっている。
【００３３】
したがって、水平ロッド２６に摺動体４３を取付けたら、図１１に示すように、摺動体４３を矢印Ａ方向に移動させて、ベース体５５の基部６３の位置まで摺動させて、その受容部５６（図６（ａ）参照）に挿入する。図１１はこの段階を示しており、次いで、摺動体４３を図１２に示すように矢印Ｂ方向に回動させて、各掛止片４７，４７の掛止孔４６，４６を、ベース体５５の凸条５７の両端部の凸部５７ａ，５７ａに掛止させる。これにより、摺動体４３は、ベース体５５と結合されるので、ロッキングユニットは、水平ロッド２６に摺動可能に取付けられることになる。
ここで、図５に示されるように、ロッキングユニット５０は摺動体４３を介して水平ロッド２６に取付けられているが、取付け部材５２の摺動幅を規制する摺動規制手段を有している。
すなわち、取付け部材５２は無制限に移動するのではなく、図３の前方Ｗ１側においては、図５において右側への移動は、水平ロッド２６が傾斜ロッド２５に続くように曲線的に立ち上がる立ち上がり開始位置ＳＴ１で止まる。また、取付け部材５２の図３の後方Ｗ２側においては、図５に示される左方への移動が、コーナー部材３４の前側ＳＴ２の位置までとされている。このように、符号ＳＴ１，ＳＴ２で示すような移動に対する構造的なストッパが、摺動規制手段であり、取付け部材５２は移動幅ＳＷの範囲でのみ摺動できる。これにより、取付け部材５２の無制限な移動が素子され、水平ロッド２６から外れてしまうことを有効に防止している。尚、このような摺動規制手段は、水平ロッド２６の所定箇所に、ストッパリング等を装着するなどして形成してもよい。
【００３４】
図１３は、図９で説明した揺れ止め部材７１の使用方法を示している。ロッキングユニットを上述のように取付けた後で、そのロッキング機能を使用しないときには、揺れ止め部材７１を矢印Ｃの方向に回動させることにより、揺れ止め部材７１の端部が設置面と当接し、ベース板５１の湾曲面５３は設置面から離れるので、湾曲面５３の接地した部分と、揺れ止め部材７１の端部の２点支持になるため、湾曲面５３の機能による揺動を停止させることができる。
【００３５】
本実施形態は以上のように構成されており、シート２０では、図２で説明したように、設置面に対しては、水平ロッド２６が平行に位置しており、そこから斜めの方向に位置する背もたれフレーム３１に続く箇所近傍のバウンス部４１によって、この背もたれフレーム３１が弾性的に支持されていることで、背もたれフレームに配置されるシート本体４０に寝た状態の乳幼児(図示せず)は、その姿勢で弾性的に保持されることになる。ここで、乳幼児が身体を動かすとバウンス部４１の機能およびフレームの対応する各部が変形するので、上下への不規則な揺動であるバウンス機能を発揮できる。そして、この場合、フレームの一部である水平ロッド２６に取付け部材５２を介してロッキングユニット５０が取付けられている。この取付け部材５２の摺動体４３は、前後方向に所定距離を摺動することができるようにされている。このため、バウンスの際のフレームの変形は、取付け部材の前後方向の摺動により、ほとんど変形することがないベース板５１の剛性の影響を受けることがないので、ロッキングユニット５０を取付けたことが、その動きを妨げることなく、バウンス機能を適切に発揮できる。かくして、バウンスを生じるためのフレームなどの変形を妨げることなく、ロッキング機能を発揮できるようにした乳幼児用シート２０を得ることができる。
【００３６】
すなわち、シート２０のロッキングユニット５０の取付け部材５２は、脚部フレームに取付けられる摺動体４３と、この摺動体４３を受容して保持する受容部５６を備えたベース体５５とを有している。この摺動体４３の内側と水平ロッド２６との間に所定のクリアランスが形成されているので、ロッキングユニット５０を取付けた状態における取付け部材５２の摺動機能を適切に確保することができる。
しかも、摺動体４３はフレームに対して、固定的に取付けられていないことにより、例えば、フレームの特定の箇所に孔等を形成して、そこに固定的に取付けた場合等と比較して、決まった箇所に常に負荷を与える構造を回避することができ、疲労による損傷などを適切に防止することができる。
【００３７】
また、本実施形態のシート２０においては、ロッキングユニット５０は、フレーム体２１に対して着脱できるので、使用者である乳幼児の成長に応じて、あるいは使用条件に応じて、ロッキング手段を取り外すことができる。このため、発達段階に応じた選択可能な使用を行えるだけでなく、持ち運びや流通に便利であり、保管の場所をとらない等の利点がある。
【００３８】
本発明は、上述の実施形態に限定されるものではない。例えば、フレームの種類と本数は、実施形態の場合よりも多くしたり、減らしたりできるし、より短いフレームに分割できるようにしてもよい。
ロッキングユニット５０は、シート体２１のような構成に限らず、他の構成のシートに適用することができることは言うまでもない。
また、傾斜ロッド２５，２５が背もたれフレーム３１と一体に形成されて、背もたれフレーム３１の傾斜ロッド２５，２５と水平ロッド２６，２６とがなす角度を変更できるようにし、しかもその角度変化を停止させた位置で、弾性的に支持するようにすることで、変形により角度が変わるようにしてバウンス部を構成してもよい。
その他にも、水平ロッド２６の外径ＯＬと摺動体４３の内径ＩＬ間のクリアランスによって摺動可能に構成するのではなく、摺動体４３を水平ロッド２６に摺動不能に固定し、摺動体４３とベース体５５の摺動幅を規制する摺動規制手段を設け、摺動体４３の外径と受容部５６の内径ＪＬにクリアランスを設けることで摺動可能に構成してもよい。
上述の実施形態における各構成は、必要により、その一部を省略したり、他の構成と入れ換えて、ことなる構成の組み合わせのもとで実施されてもよい。
【図面の簡単な説明】
【００３９】
【図１】本発明による乳幼児用シートの実施形態の概略斜視図。
【図２】図１の乳幼児用シートのフレーム体を示す概略分解斜視図。
【図３】図１の乳幼児用シートに取付け可能なロッキングユニットの概略平面図。
【図４】図３のロッキングユニットの概略側面図。
【図５】脚部フレームにロッキングユニットを固定した状態を拡大して示す概略側面図。
【図６】取付け部材のベース体を示す図。
【図７】取付け部材のベース体を示す図
【図８】取付け部材の摺動体を示す図。
【図９】ベース板に取付け部材のベース体を固定した状態を示す概略斜視図。
【図１０】ベース体に連結バーを挿入した状態を示す概略斜視図。
【図１１】水平ロッドに摺動体を取付け、摺動体をベース体に受容させた状態を示す概略斜視図。
【図１２】摺動体をベース体に掛止させる様子を示す概略斜視図。
【図１３】揺れ止め部材を使用する様子を示す概略斜視図。
【図１４】連結バーの構成を示す概略平面図。
【符号の説明】
【００４０】
２０・・・乳幼児用シート、２１・・・フレーム体、２２，２２・・・コネクタ、２５・・・傾斜ロッド、２６・・・水平ロッド、２７・・・脚部フレーム、３０・・・足受けフレーム、３１・・・背もたれフレーム、４０・・・シート体、４１・・・バウンス部、４２・・・連結バー、４３・・・摺動体、４４・・・受容部、４７，４７・・・掛止片、５０・・・ロッキングユニット（ロッキング手段）、５１・・・ベース板、５２・・・取付け部材、５５・・・ベース体、５６・・・受容部。
【図１】
2005080894.tif 000003
【図２】
2005080894.tif 000004
【図３】
2005080894.tif 000005
【図４】
2005080894.tif 000006
【図５】
2005080894.tif 000007
【図６】
2005080894.tif 000008
【図７】
2005080894.tif 000009
【図８】
2005080894.tif 000010
【図９】
2005080894.tif 000011
【図１０】
2005080894.tif 000012
【図１１】
2005080894.tif 000013
【図１２】
2005080894.tif 000014
【図１３】
2005080894.tif 000015
【図１４】
2005080894.tif 000016